(57)【要約】【課題】発光部と発光部を覆う光源カバーとを備える照明器具であって、発光部が発する光を効率よく取り出すことのできる照明器具を提供すること。【解決手段】照明器具１は、器具本体１０と、前方に光を出射する姿勢で器具本体１０に取り付けられた発光モジュール２０と、発光モジュール２０を覆うように器具本体１０に取り付けられた透光性を有する光源カバー３０とを備え、光源カバー３０の端面は、発光部の光の出射方向に対して傾いた傾斜面部を有する。【選択図】図５
2018060737.tif 000002
【特許請求の範囲】
【請求項１】
器具本体と、
前方に光を出射する姿勢で前記器具本体に取り付けられた発光部と、
前記発光部を覆うように前記器具本体に取り付けられた透光性を有する光源カバーとを備え、
前記光源カバーの端面は、前記発光部の光の出射方向に対して傾いた傾斜面部を有する
照明器具。
【請求項２】
前記傾斜面部は、前記前方を向くように傾いている
請求項１記載の照明器具。
【請求項３】
前記光源カバーの、前記前方側の表面である前面の粗さは、前記傾斜面部の表面の粗さよりも大きい
請求項１または２に記載の照明器具。
【請求項４】
前記発光部は、前記前方から見た場合において環状に形成されており、
前記光源カバーは、前記発光部を覆う環状の外形を有し、内周側の前記端面に、前記傾斜面部を有する
請求項１〜３のいずれか１項に記載の照明器具。
【請求項５】
前記発光部は、前記前方から見た場合において環状に形成されており、
前記光源カバーは、前記発光部を覆う環状の外形を有し、外周側の前記端面に、前記傾斜面部を有する
請求項１〜４のいずれか１項に記載の照明器具。
【請求項６】
前記光源カバーの前記端面はさらに、前記光源カバーの厚み方向に沿った面を形成する端縁部を有し、
前記光源カバーの、前記厚み方向に平行な断面における前記傾斜面部の長さは、前記端縁部の長さよりも長い
請求項１〜５のいずれか１項に記載の照明器具。
【請求項７】
前記発光部は、複数の発光素子を有し、
前記光源カバーは、前記複数の発光素子のそれぞれに対向する位置に配置されたレンズを有する
請求項１〜６のいずれか１項に記載の照明器具。
【発明の詳細な説明】
【技術分野】
【０００１】
本発明は、発光部と発光部を覆う光源カバーとを有する照明器具に関する。
【背景技術】
【０００２】
従来、照明器具の一例として、天井に設置されるシーリングライトが知られている。例えば、特許文献１には、アダプタを介して天井に取り付けられる器具本体と、器具本体の基板配置面に支持された基板と、基板に配置された光源部と、拡散部材（レンズ部材）とを備えるシーリングライトが開示されている。光源部は基板と基板に実装された複数の発光素子とを備え、拡散部材は、発光素子を含めて基板の全面を覆うように配設されている。
【先行技術文献】
【特許文献】
【０００３】
【特許文献１】特開２０１２−１４６６６６号公報
【発明の概要】
【発明が解決しようとする課題】
【０００４】
上記従来のシーリングライトのように、発光部を覆う拡散部材等のカバーを有する照明器具では、カバーの内側から外側に透過する光についてはレンズで拡散させる等の各種の光学的な工夫がなされている。しかし、カバーの厚み内（外面と内面との間）において厚み方向と交差する方向に進行し、端面から放出される光については光学的な考慮がなされていない。
【０００５】
本発明は、上記従来の課題を考慮し、発光部と発光部を覆う光源カバーとを備える照明器具であって、発光部が発する光を効率よく取り出すことのできる照明器具を提供することを目的とする。
【課題を解決するための手段】
【０００６】
上記目的を達成するため、本発明の一態様に係る照明器具は、器具本体と、前方に光を出射する姿勢で前記器具本体に取り付けられた発光部と、前記発光部を覆うように前記器具本体に取り付けられた透光性を有する光源カバーとを備え、前記光源カバーの端面は、前記発光部の光の出射方向に対して傾いた傾斜面部を有する。
【発明の効果】
【０００７】
本発明に係る照明器具によれば、発光部が発する光を効率よく取り出すことができる。
【図面の簡単な説明】
【０００８】
【図１】実施の形態に係る照明器具の斜視図である。
【図２】実施の形態に係る照明器具の分解斜視図である。
【図３】実施の形態に係る照明器具のカバーを取り外した状態を示す斜視図である。
【図４】実施の形態に係る光源カバーの構成を示す第１の断面図である。
【図５】実施の形態に係る光源カバーの内周側の端面の構成を示す拡大断面図である。
【図６】比較例における光源カバーの構成を示す断面拡大図である。
【図７】実施の形態に係る光源カバーの構成を示す第２の断面図である。
【図８】実施の形態の変形例１に係る光源カバーの外観を示す斜視図である。
【図９】実施の形態の変形例２に係る光源カバーの構成を示す拡大断面図である。
【発明を実施するための形態】
【０００９】
以下では、本発明の実施の形態に係る照明器具について、図面を用いて詳細に説明する。なお、以下に説明する実施の形態及びその変形例は、いずれも本発明の一具体例を示すものである。したがって、以下の実施の形態で示される数値、形状、材料、構成要素、構成要素の配置及び接続形態、工程、工程の順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１１】
以降、本明細書において、「前方」とは、照明器具（発光モジュール）の主たる光の出射方向であり、「後方」とは、「前方」の反対の方向である。
【００１２】
また、本明細書及び図面において、ｘ軸、ｙ軸及びｚ軸は、三次元直交座標系の三軸を示している。実施の形態では、ｚ軸方向を鉛直方向（上下方向）とし、ｚ軸に垂直な方向（ｘｙ平面に平行な方向）を水平方向としている。また、ｚ軸の正方向を鉛直下方としている。なお、これらの事項は、本発明に係る照明器具の使用時の姿勢を限定するものではない。
【００１３】
（実施の形態）
［概要］
まず、実施の形態に係る照明器具１の概要について、図１〜図３を用いて説明する。
【００１４】
図１は、本実施の形態に係る照明器具１の斜視図である。図２は、本実施の形態に係る照明器具１の分解斜視図である。図３は、本実施の形態に係る照明器具１のカバー４０を取り外した状態を示す斜視図である。
【００１５】
図１〜図３に示される照明器具１は、例えば、住宅などの建物の造営材に設置される。一例として、照明器具１は、建物の天井に固定されるシーリングライトであり、建物の内部の空間を照明する。具体的には、照明器具１は、天井に固定された引っ掛けシーリングボディに取り付けられることによって天井に設置される。
【００１６】
なお、各図において、ｚ軸の負側が天井側であり、ｚ軸の正側が床側を表している。また、説明の都合上、各図において、照明器具１を通常の使用時の姿勢とは上下逆の姿勢で図示している。
【００１７】
図１〜図３に示すように、照明器具１は、器具本体１０と、発光モジュール（発光部）２０と、光源カバー３０と、カバー４０と、電源ユニット７０とを備える。
【００１８】
発光モジュール２０は、電源ユニット７０から供給される電力によって光を発する。発光モジュール２０が発する光は、光源カバー３０及びカバー４０を透過して、照明器具１の外部に放出される。
【００１９】
次に、図１〜図３を参照しながら、さらに、図４〜図７を用いて、照明器具１の各構成部品について詳細に説明する。
【００２０】
［器具本体］
器具本体１０は、発光モジュール２０を支持する筐体である。器具本体１０は、前方に光を出射するように発光モジュール２０が載置される載置面１１を有する。器具本体１０は、さらに、電源ユニット７０を支持する。
【００２１】
より詳細には、器具本体１０は、図２及び図３に示すように、載置面１１と、周縁部１３と、貫通孔１４とを有する。本実施の形態では、器具本体１０は、例えば、扁平な形状を有する。具体的には、平面視（ｚ軸方向から見た場合）における器具本体１０形状は、中央に貫通孔１４が設けられた円盤状（すなわち、円環状）である。器具本体１０において、載置面１１は、貫通孔１４を囲むように、貫通孔１４の全周に亘って円環状に設けられている。
【００２２】
また、載置面１１を囲むように全周に亘って周縁部１３が設けられている。周縁部１３の後方側（天井側）には、ウレタンなどのクッション材１５が設けられている。中央の貫通孔１４には、引掛シーリングボディに取り付けるためのアダプタが挿入される。
【００２３】
載置面１１は、器具本体１０の床側の主面であり、発光モジュール２０が取り付けられる面である。図２に示すように、載置面１１は、その外周に沿って環状に設けられた周縁部１３よりも前方（ｚ軸の正側）に位置している。これにより、載置面１１の反対側には、電源ユニット７０を収納するためのスペースが設けられている。
【００２４】
器具本体１０は、例えばアルミニウム板又は鋼板などの板金をプレス加工することによって所定の形状に成型される。器具本体１０の一方側の面（載置面１１を含む面）には、反射性を高めて光取り出し効率を向上させるために、白色塗料が塗布されていてもよく、あるいは、反射性金属材料が蒸着されていてもよい。
【００２５】
［発光モジュール（発光部）］
発光モジュール２０は、照明器具１の器具本体１０に取り付けられた発光部の一例であり、白色などの所定の色（波長）の光を発する。図２に示すように、発光モジュール２０はそれぞれ、光源基板２１と、複数の発光素子２２とを有する。なお、本実施の形態において、光源基板２１は、円環状に並べられた互いに別体の４枚の基板が接続されることで構成されているが、説明の便宜上、これら４枚の基板の集合体を、１枚の光源基板２１として扱う。
【００２６】
光源基板２１は、複数の発光素子２２が実装される実装基板である。光源基板２１は、例えば、プリント配線基板であり、光源基板２１の一方の面には、金属配線が所定形状でパターン形成されている。図２に示すように、光源基板２１は、複数の発光素子２２が床面側を向くようにして、器具本体１０の載置面１１に載置されている。つまり、発光モジュール２０は、前方に光を照射する姿勢で器具本体１０に取り付けられている。具体的には、光源基板２１は、器具本体１０の載置面１１に、複数のネジ（図示せず）を用いて固定されている。
【００２７】
光源基板２１は、平面視において環状に形成されている。つまり、発光モジュール２０は、前方から見た場合において環状に形成されており、より具体的には、発光モジュール２０の平面視形状は、円環状（ドーナツ状）である。
【００２８】
光源基板２１は、例えば、絶縁性樹脂材料からなる樹脂基板、表面が樹脂被膜された金属材料からなるメタルベース基板、セラミック材料の焼結体であるセラミック基板、又は、ガラス材料からなるガラス基板などである。光源基板２１は、リジッド基板に限らず、フレキシブル基板でもよい。光源基板２１の表面には、金属配線を覆うように絶縁被膜としてレジスト膜が形成されていてもよい。
【００２９】
発光素子２２は、ＬＥＤ（Ｌｉｇｈｔ  Ｅｍｉｔｔｉｎｇ  Ｄｉｏｄｅ）などの、所定の電力により発光する半導体発光素子である。発光素子２２は、例えば、単色の可視光を発するベアチップであり、具体的には、青色光を発する青色ＬＥＤチップである。複数の発光素子２２は、光源基板２１の主面上において、周方向に沿って、複数列又はマトリクス状に配置されている。
【００３０】
なお、複数の発光素子２２はそれぞれ、封止部材（図示せず）によって個別に封止されている。あるいは、複数の発光素子２２は、素子列毎に一括封止されてもよく、あるいは、光源基板２１上の全ての発光素子２２が一括封止されてもよい。
【００３１】
封止部材は、例えば、シリコーン樹脂などの透光性樹脂材料を主成分として含み、発光素子２２からの光の波長を変換する波長変換材を含んでいる。波長変換材は、例えば、蛍光体粒子であり、具体的には、黄色蛍光体粒子である。本実施の形態では、発光素子２２が発する青色光と、黄色蛍光体粒子が青色光によって励起されて発する黄色光とが混合されることにより、発光モジュール２０は白色光を発する。なお、封止部材には、シリカなど（ＳｉＯ２）の光拡散材（光散乱粒子）を含んでいてもよい。
【００３２】
また、発光モジュール２０が発する光の色に特に限定はない。例えば、複数の発光素子２２が、１以上の青色ＬＥＤチップと１以上の赤色ＬＥＤチップとで構成されることで、発光モジュール２０が、いわゆる電球色と呼ばれるオレンジ色の光を放出してもよい。
【００３３】
また、発光モジュール２０は、ＳＭＤ（Ｓｕｒｆａｃｅ  Ｍｏｕｎｔｅｄ  Ｄｅｖｉｃｅ）型のモジュールでもよい。具体的には、光源基板２１上にパッケージ型のＬＥＤ素子（ＳＭＤ型ＬＥＤ素子）が実装されていてもよい。パッケージ型のＬＥＤ素子は、例えば、凹部（キャビティ）を有する樹脂製の容器と、凹部の中に実装されたＬＥＤチップと、凹部内に封入された封止部材（蛍光体含有樹脂）とを備える。
【００３４】
［カバー］
カバー４０は、透光性を有する透光カバーであり、例えば「グローブ」とも呼ばれる。図１及び図２に示すように、カバー４０は、照明器具１の外郭を構成する外郭カバーである。カバー４０は、器具本体１０の前面側に配置されることで、発光モジュール２０、及び光源カバー３０を覆っている。本実施の形態では、カバー４０は、中央が前方に突出するように形成された緩やかな曲面（光出射面）を有している。
【００３５】
カバー４０は、発光素子２２が発する光を透過させる。具体的には、カバー４０は、発光素子２２から発せられ、光源カバー３０を通過した光を透過させる。
【００３６】
カバー４０は、透光性を有する樹脂材料を用いて形成されている。カバー４０の材料は、例えば、アクリル（ＰＭＭＡ）、ポリカーボネート（ＰＣ）、ポリエチレンテレフタレート（ＰＥＴ）又はポリ塩化ビニルなどである。
【００３７】
カバー４０は、光拡散性（光散乱性）を有してもよい。これにより、カバー４０に入射する光を拡散（散乱）させることができ、カバー４０の全体から略均一に光を外部に取り出すことができる。この場合、カバー４０は、例えば、乳白色であり、光拡散粒子を分散させた樹脂材料によって形成することができる。また、カバー４０の内面又は外面に乳白色の光拡散膜を形成してもよく、カバー４０に複数の光拡散ドット又は微小凹凸（シボ）を形成してもよい。
【００３８】
カバー４０は、器具本体１０に着脱自在に取り付けられる。取り付け方法については、特に限定されないが、例えば、カバー４０は、器具本体１０の周縁部に設けられた係止部に引っかかるようにして固定される。具体的には、カバー４０と器具本体１０とはそれぞれ、互いに係止する係止部及び被係止部を有し、係止部と被係止部とが係止することで固定される。
【００３９】
［光源カバー］
光源カバー３０は、透光性を有するカバー部材である。図２及び図３に示すように、光源カバー３０は、発光モジュール２０を覆うように器具本体１０に取り付けられている。本実施の形態では、光源カバー３０は、器具本体１０の載置面１１に、ネジ（図示せず）を用いて固定されている。
【００４０】
光源カバー３０は、透光性を有する樹脂材料を用いて形成されている。光源カバー３０の材料は、例えば、ＰＭＭＡ、ＰＣ、ＰＥＴ又はポリ塩化ビニルなどである。
【００４１】
光源カバー３０は、例えば、発光モジュール２０を外部の埃等の異物から保護するとともに、発光モジュール２０が発した光を制御して透過させる機能を有する。具体的には、光源カバー３０は、発光モジュール２０が有する複数の発光素子２２が発した光を拡散させることで、複数の発光素子２２の光の粒状感（輝度ムラ）を抑制することができる。
【００４２】
ここで、複数の発光素子２２から発せられて光源カバー３０に入射した光の一部は、光源カバー３０の厚み内（外面と内面との間）で反射を繰り返して光源カバー３０の端面に到達する。つまり、複数の発光素子２２から発せられた光の一部は、光源カバー３０の内部（肉厚内）と大気または器具本体１０との界面で反射を繰り返すことで、光源カバー３０の端面に到達する。
【００４３】
本実施の形態に係る照明器具１は、光源カバー３０の厚み内を進行して光源カバー３０の端面に到達する光を、照明光として有効に利用することができる構成を有している。以下、光源カバー３０の構成の詳細について図４〜図７を用いて説明する。
【００４４】
図４は、実施の形態に係る光源カバー３０の構成を示す第１の断面図である。具体的には、図４では、図３におけるＩＶ−ＩＶ断面の概要が図示されている。図５は、実施の形態に係る光源カバー３０の内周側の端面３１の構成を示す拡大断面図である。図６は、比較例における光源カバー３００の構成を示す断面拡大図である。図７は、実施の形態に係る光源カバー３０の構成を示す第２の断面図である。
【００４５】
本実施の形態に係る照明器具１において、光源カバー３０の内周側の端面３１は、発光モジュール２０の光の出射方向に対して傾いた傾斜面部３１ａと、光源カバー３０の厚み方向に沿った面を形成する端縁部３１ｂとを有している。また、光源カバー３０の外周側の端面３２も同様に、発光モジュール２０の光の出射方向に対して傾いた傾斜面部３２ａと、光源カバー３０の厚み方向に沿った面を形成する端縁部３２ｂとを有している。
【００４６】
なお、発光モジュール２０の光の出射方向とは、発光モジュール２０が照明光として出射する光の主たる方向であり、本実施の形態ではｚ軸正の方向である。また、本実施の形態では、光源カバー３０の厚み方向は、発光モジュール２０の光の出射方向と平行であり、つまりｚ軸方向と平行である。また、本実施の形態では、発光モジュール２０の光の出射方向は、光源基板２１の主面（複数の発光素子２２が実装された面）の法線と平行である。つまり、光源基板２１の主面の法線もｚ軸方向と平行である。
【００４７】
例えば、光源カバー３０の内周側の端面３１に着目すると、端面３１が有する傾斜面部３１ａは、図５に示すように、発光モジュール２０の光の出射方向（ｚ軸正の方向）に対して傾いており、その結果、傾斜面部３１ａから放出される光は、照明器具１の前方に向けて進行する。つまり、傾斜面部３１ａに到達した光は、カバー４０（図２参照）の方向に導かれて、照明光として利用される。なお、図５における点線の矢印は、光源カバー３０の厚み内における光の経路の一例である。
【００４８】
より詳細には、傾斜面部３１ａは前方（ｚ軸正の方向）に向くように傾いており、傾斜面部３１ａから光源カバー３０の外部に放出される光を、直接的にカバー４０の方向に導くことができる。
【００４９】
また、光源カバー３０の外周側の端面３２が有する傾斜面部３２ａにおいても同様の効果が生ずる。つまり、傾斜面部３２ａから光源カバー３０の外部に放出される光は、直接的にカバー４０の方向に導かれる。
【００５０】
これに対し、例えば図６に示す比較例における光源カバー３００の端面３０１のように、発光モジュール２０の光の出射方向に平行な端面３０１の場合、光源カバー３００の厚み内を経由して端面３０１に到達した光は側方に向かう。つまり、端面３０１から放出される光の多くは照明光として利用されない。なお、図６における点線の矢印は、光源カバー３００の厚み内における光の経路の一例である。なお、図６では、端面３０１に対して比較的に小さい入射角で光が入射する場合の光路が図示されているが、入射角が比較的に大きい場合は、端面３０１と大気との界面で全反射し、光源カバー３００の厚み内に戻る。
【００５１】
このように、本実施の形態に係る照明器具１では、光源カバー３０の端面３１（３２）が、傾斜面部３１ａ（３２ａ）を有していることで、端面３１（３２）に到達する光を照明光として有効に利用することができる。
【００５２】
ここで、本実施の形態に係る光源カバー３０の前面３０ａには、図７に示すように、微細な凹凸（図７では点線で概念的に示している）が形成されている。このような微細な凹凸は例えばシボと呼ばれ、光を拡散する機能を有している。
【００５３】
このように、光源カバー３０の前面３０ａにシボが形成されていることで、上述のように、複数の発光素子２２の光の粒状感を抑制することができるとともに、光源カバー３０の厚み内での拡散反射も生じる。この拡散反射によって端面３１及び端面３２のそれぞれに到達した光は、上述のように、傾斜面部３１ａ及び傾斜面部３２ａから出射されることで、照明光として有効に利用される。
【００５４】
また、傾斜面部３１ａにはシボは形成されておらず、つまり、傾斜面部３１ａの表面の粗さは、光源カバー３０の前面３０ａの粗さよりも小さい。そのため、例えば、傾斜面部３１ａから出射される際の光の拡散が抑制され、その結果、前方に光を導きやすくなる。
【００５５】
なお、傾斜面部３１ａのサイズ及び傾き角度等に特に限定はないが、図７に示すように、傾斜面部３１ａの長さＬａは、端縁部３１ｂの長さＬｂよりも長いことが好ましい。つまり、端面３１において、発光モジュール２０の光の出射方向に対して傾いている面の割合が多いほど、端面３１に到達した光のうちの、照明光としての有効利用される割合が増加する。例えば、端縁部３１ｂの長さＬｂは実質的に“０”でもよい。つまり、端面３１の全体が傾斜面部３１ａであってもよい。これにより、端面３１に到達した光の、照明光としての更なる有効利用が図られる。
【００５６】
［電源ユニット］
電源ユニット７０は、発光モジュール２０を点灯させるための電力を生成するための電源装置である。電源ユニット７０は、例えば、系統電源又は蓄電池などの外部の電源から引掛シーリングボディ及びアダプタ（図示せず）を介して供給される交流電力を直流電力に変換して発光モジュール２０に供給する。
【００５７】
電源ユニット７０は、具体的には、発光モジュール２０の点灯（全点灯）及び消灯を制御する。電源ユニット７０は、発光モジュール２０の調光又は調色を行ってもよい。
【００５８】
電源ユニット７０は、例えば、回路基板と、回路基板に実装された複数の回路素子とを有している。複数の回路素子のそれぞれは、例えば、整流回路素子、検知抵抗、ヒューズ素子、抵抗、コンデンサ、チョークコイル、ダイオード又はトランジスタなどである。この回路基板が筐体に収容されることで電源ユニット７０が構成されている。また、筐体が、器具本体１０の載置面１１の反対側に、ネジを用いて固定されることで、電源ユニット７０が器具本体１０に取り付けられる。
【００５９】
［効果など］
以上のように、本実施の形態に係る照明器具１は、器具本体１０と、前方に光を出射する姿勢で器具本体１０に取り付けられた発光モジュール２０と、発光モジュール２０を覆うように器具本体１０に取り付けられた透光性を有する光源カバー３０とを備える。光源カバー３０の端面３１（３２）は、発光モジュール２０の光の出射方向に対して傾いた傾斜面部３１ａ（３２ａ）を有する。
【００６０】
この構成によれば、例えば、光源カバー３０の厚み内を経由して傾斜面部３１ａに到達した光は前方に向かい、これにより、照明光として利用される。つまり、本実施の形態に係る照明器具１は、従来では、照明光としての利用が考慮されていなかった光源カバーの端面からの漏れ光を、積極的に照明光として利用するための構造を有している。
【００６１】
このように、本実施の形態に係る照明器具１によれば、発光モジュール２０が発する光を効率よく取り出すことができる。
【００６２】
より詳細には、本実施の形態では、傾斜面部３１ａ（３２ａ）は、前方を向くように傾いている。これにより、例えば傾斜面部３１ａから光源カバー３０の外部に放出される光を、直接的にカバー４０の方向に導くことができる。つまり、発光モジュール２０が発する光の取り出し効率をより向上させることができる。
【００６３】
また、本実施の形態では、光源カバー３０の、前方側の表面である前面３０ａの粗さは、傾斜面部３１ａ（３２ａ）の表面の粗さよりも大きい。
【００６４】
具体的には、光源カバー３０の前面３０ａには、シボ加工等によって微細な凹凸が形成されており、傾斜面部３１ａ（３２ａ）には、表面の粗さを向上させるための積極的な加工はなされていない。これにより、光源カバー３０の前面３０ａでは光が拡散し、これにより、複数の発光素子２２の光の粒状感（輝度ムラ）が抑制される。また、傾斜面部３１ａ（３２ａ）では、光が出射される際の拡散が抑制され、これにより、出射される光が前方に向かう可能性が向上する。
【００６５】
また、本実施の形態において、発光モジュール２０は、前方から見た場合において環状に形成されており、光源カバー３０は、発光モジュール２０を覆う環状の外形を有し、内周側の端面３１に傾斜面部３１ａを有する。
【００６６】
この構成によれば、例えば、環状に形成された発光モジュール２０において比較的に暗い領域（出射される光量が比較的に小さい領域）である中央の領域において、端面３１の傾斜面部３１ａから出射される光を、照明光として利用することができる。
【００６７】
また、本実施の形態において、発光モジュール２０は、前方から見た場合において環状に形成されており、光源カバー３０は、発光モジュール２０を覆う環状の外形を有し、外周側の端面３２に傾斜面部３２ａを有する。
【００６８】
この構成によれば、例えば、環状に形成された発光モジュール２０の外側の領域において、端面３２の傾斜面部３２ａから出射される光を、照明光として利用することができる。
【００６９】
このように、環状に形成された光源カバー３０の、内周側の端面３１及び外周側の端面３２の少なくとも一方に傾斜面部（３１ａまたは３２ａ）が形成されていることで、前方から見た場合の、照明器具１からの照明光の出射面積が拡大される。
【００７０】
また、本実施の形態において、例えば、光源カバー３０の端面３１はさらに、光源カバー３０の厚み方向に沿った面を形成する端縁部３１ｂを有し、光源カバー３０の、厚み方向に平行な断面における傾斜面部３１ａの長さＬａは、端縁部３１ｂの長さＬｂよりも長い。
【００７１】
この構成によれば、例えば、端面３１において、発光モジュール２０の光の出射方向に対して傾いている面の割合が比較的に大きくなり、これにより、端面３１に到達した光のうちの、照明光としての有効利用される割合が増加する。
【００７２】
以上、実施の形態に係る照明器具１について説明したが、照明器具１は、図１〜図５、及び図７に示す構成とは異なる構成の光源カバー３０を備えてもよい。そこで、以下に、実施の形態に係る光源カバー３０に関する変形例を、上記実施の形態との差分を中心に説明する。
【００７３】
（変形例１）
図８は、実施の形態の変形例１に係る光源カバー１３０の外観を示す斜視図である。図８に示す光源カバー１３０は、上記実施の形態に係る光源カバー３０に換えて照明器具１に取り付けることができる部材である。
【００７４】
光源カバー１３０は、複数のレンズ部１３５を有する。複数のレンズ部１３５は、発光モジュール２０が有する複数の発光素子２２と一対一に対応して設けられている。レンズ部１３５は、例えば、対応する発光素子２２からの光の配光角を拡大する。すなわち、レンズ部１３５は、光を発散させる機能を有する。このように、個々の発光素子２２に対応してレンズ部１３５を配置することで、例えば、複数の発光素子２２それぞれからの光の拡散を緻密に制御することができる。
【００７５】
また、光源カバー１３０は環状に形成されており、内周側の端面１３１は傾斜面部１３１ａを有し、外周側の端面１３２は傾斜面部１３２ａを有する。
【００７６】
このように光源カバー１３０が複数のレンズ部１３５を有する場合であっても、端面１３１（１３２）が傾斜面部１３１ａ（１３２ａ）を有することで、上述のように、発光モジュール２０が発する光を、照明光として効率よく取り出すことができる。
【００７７】
（変形例２）
図９は、実施の形態の変形例２に係る光源カバー２３０の構成を示す拡大断面図である。図９に示す光源カバー２３０は、上記実施の形態に係る光源カバー３０に換えて照明器具１に取り付けることができる部材である。
【００７８】
本変形例に係る光源カバー２３０の端面２３１は、発光モジュール２０の光の出射方向に対して傾いた傾斜面部２３１ａと、光源カバー２３０の厚み方向に沿った面を形成する端縁部２３１ｂとを有している。この構成において、上記実施の形態に係る光源カバー３０と共通する。
【００７９】
しかし、本変形例に係る傾斜面部２３１ａは、図９に示すように、前方ではなく後方（ｚ軸負の方向）に向くように傾いている。
【００８０】
この場合であっても、図９の点線矢印で示されるように、傾斜面部２３１ａと大気との界面において、傾斜面部２３１ａに到達した光が反射し、その結果、前方に光が出射される場合がある。従って、例えば図６に示す比較例における光源カバー３００のように、端面３０１が発光モジュール２０の光の出射方向に平行である場合と比較すると、端面２３１（傾斜面部２３１ａ）は、照明光を前方に出射する機能が高いと言える。
【００８１】
（その他）
以上、本発明に係る照明器具について、実施の形態に基づいて説明したが、本発明は、上記の実施の形態に限定されるものではない。
【００８２】
例えば、光源カバー３０は、シボ等の、光を積極的に拡散するための構成を有していなくてもよい。つまり、光源カバー３０は、例えば樹脂またはガラス等によって形成された透明なカバー部材として、照明器具１に備えられてもよい。
【００８３】
また、例えば、上記の実施の形態では、発光モジュール２０は平面視において円環状に形成されているとしたが、これに限らない。例えば、発光モジュール２０は角環状であってもよい。また、発光モジュール２０は平面視において環状である必要はなく、たとえば、長尺な矩形状であってもよい。いずれの場合であっても、発光モジュール２０を覆う光源カバーの端面が傾斜面部を有することで、上述のように、端面に到達した光の、照明光としての有効利用が図られる。
【００８４】
また、光源カバー３０の器具本体１０への固定方法はネジ止めには限定されず、例えば、器具本体１０に設けられた爪に光源カバー３０が引っ掛けられることで、光源カバー３０が器具本体１０に固定されてもよい。また、例えば、接着剤によって光源カバー３０が器具本体１０に固定されてもよい。発光モジュール２０の器具本体１０への固定方法についても同様であり、各種の方法を採用し得る。
【００８５】
また、例えば、上記の実施の形態では、発光モジュール２０がＬＥＤを備える例について示したが、これに限らない。例えば、発光モジュール２０は、有機ＥＬ（Ｅｌｅｃｔｒｏ  Ｌｕｍｉｎｅｓｃｅｎｃｅ）素子又はレーザ素子などを備えてもよい。
【００８６】
また、例えば、上記の実施の形態では、照明器具１がシーリングライトである例について示したが、これに限らない。例えば、照明器具１は、ダウンライト又はペンダントライトなどでもよい。
【００８７】
その他、実施の形態及びその変形例に対して当業者が思いつく各種変形を施して得られる形態や、本発明の趣旨を逸脱しない範囲で、実施の形態または変形例における構成要素及び機能を任意に組み合わせることで実現される形態も本発明に含まれる。
【符号の説明】
【００８８】
１  照明器具
１０  器具本体
２０  発光モジュール（発光部）
２２  発光素子
３０、１３０、２３０  光源カバー
３０ａ  前面
３１、３２、１３１、１３２、２３１  端面
３１ａ、３２ａ、１３１ａ、１３２ａ、２３１ａ  傾斜面部
３１ｂ、３２ｂ、２３１ｂ  端縁部
【図１】
2018060737.tif 000003
【図２】
2018060737.tif 000004
【図３】
2018060737.tif 000005
【図４】
2018060737.tif 000006
【図５】
2018060737.tif 000007
【図６】
2018060737.tif 000008
【図７】
2018060737.tif 000009
【図８】
2018060737.tif 000010
【図９】
2018060737.tif 000011